(57)【要約】【課題】装飾性に優れ、部品点数が抑制され、太陽電池へ到達する光量を確保した太陽電池時計を提供する。【解決手段】本実施例の太陽電池時計は、糸がランダムな方向に堆積され、糸と糸との間に隙間を有したシート状のパネル２０と、パネル２０の前面側に配置された文字板３０、指針４０と、パネル２０の背面側に配置された太陽電池５０と、を備えている。糸と糸との間に隙間を有しているので、この隙間を介して光が太陽電池への照射される。また、糸がランダムな方向に堆積されているので、隙間の位置もランダムとなる。このため、パネルの前面側からは太陽電池は視認しにくいものとなる。【選択図】図４
2010145300.tif 000002
【特許請求の範囲】
【請求項１】
糸がランダムな方向に堆積され、前記糸と前記糸との間に隙間を有したシート状のパネルと、
前記パネルの前面側に配置された時刻表示部と、
前記パネルの背面側に配置された太陽電池と、を備えた太陽電池時計。
【請求項２】
前記糸は、金属色を呈する、請求項１に記載の太陽電池時計。
【請求項３】
前記糸は、銀糸又は金糸を含む、請求項１または２に記載の太陽電池時計。
【請求項４】
前記パネルの光の透過率は、前記パネルを介さない場合に前記太陽電池に到達する光量を１００％とした時に比べて３６〜４１％の範囲内にある、請求項１乃至３のいずれかに記載の太陽電池時計。
【発明の詳細な説明】
【技術分野】
【０００１】
本発明は、太陽電池時計に関する。
【背景技術】
【０００２】
従来から、太陽電池を用いた太陽電池時計が知られている。太陽電池には、十分な光量を到達させる必要がある。従って太陽電池は十分な光量が得られる場所に配置する必要があるが、時計全体のサイズに制約があるなどの事情により、太陽電池を文字板に配置しなければならない場合がある。ところで、先ほども述べたように太陽電池には十分な光量を到達させる必要があるので、その場合は太陽電池が文字板上に露出しているのが良い。しかしながら、太陽電池が外部から視認可能であると、文字板表面と太陽電池表面の色調や反射率が異なる場合に、文字板としての統一感が失われ、太陽電池時計の装飾性を損なう恐れがある。一方、装飾性を優先させるために太陽電池の露出を避け、視認を妨げるようにすると、太陽電池に十分な光量が到達せず、必要な電力が得られないおそれがある。従来、このような問題を解決する方法として特許文献１には、導光部材を用いることにより太陽電池へ到達する光量を確保するとともに外部からの視認を妨げることのできる太陽電池時計が開示されている。
【０００３】
【特許文献１】特開２００８−２０９３６８号公報
【発明の開示】
【発明が解決しようとする課題】
【０００４】
しかしながら、導光部材を用いると部品点数が増え、製造工程の複雑化、コストが上昇する恐れがある。また、既存の太陽電池時計と差別化を図るためには、ありきたりではない、装飾性に優れた太陽電池時計であることが望ましい。
【０００５】
そこで本発明は、装飾性に優れ、部品点数が抑制され、太陽電池へ到達する光量を確保した太陽電池時計を提供することを目的とする。
【課題を解決するための手段】
【０００６】
上記目的は、糸がランダムな方向に堆積され、前記糸と前記糸との間に隙間を有したシート状のパネルと、前記パネルの前面側に配置された時刻表示部と、前記パネルの背面側に配置された太陽電池と、を備えた太陽電池時計によって達成できる。
【０００７】
糸と糸との間に隙間を有しているので、この隙間を介して光が太陽電池へ照射される。また、糸がランダムな方向に堆積されているので、隙間の位置もランダムとなる。このため、パネルの前面側からは太陽電池は視認しにくいものとなる。更に、パネルは糸がランダムな方向に堆積しているので、ありきたりなものではなく、装飾性に優れている。また、太陽電池への光を確保するための部材を新たに設ける必要はないため、部品点数が抑制されている。
【０００８】
上記構成において、前記糸は、金属色を呈する、構成を採用できる。これにより、糸の反射率が向上する。従って、隙間を通過する光の一部は、糸によって反射して太陽電池へと到達する。これより隙間を大きくしたり、数多く設けなくても太陽電池へ到達する光量を確保できる。このような上記構成によれば、隙間が小さく、かつ量も少なくて良いので、背後に設けられた太陽電池が見えにくくなり、文字板全体の統一感が失われることが無いので装飾性が向上する。また、太陽電池へ到達する光量を確保できるので、小型の太陽電池を採用できる。これにより太陽電池時計を小型化することができる。また、パネルを前面側から見た場合、光がパネルの前面で乱反射して、パネルの背面側にある太陽電池が見えにくくなる。
【０００９】
上記構成において、前記糸は、銀糸又は金糸を含む、構成を採用できる。銀糸又は金糸を用いることによっても、光の反射率が向上する。従って、隙間を通過する光の一部は、銀糸又は金糸によって反射して太陽電池へと到達する。また、金糸又は銀糸を使うことにより、装飾性が向上する。
【００１０】
上記構成において、前記パネルの光の透過率は、前記パネルを介さない場合に前記太陽電池に到達する光量を１００％とした時に比べて３６〜４１％の範囲内にある、構成を採用できる。これにより、太陽電池を視認しづらくすると共に、太陽電池へ到達する光量を確保できる。
【発明の効果】
【００１１】
装飾性に優れ、部品点数が抑制され、太陽電池へ到達する光量を確保した太陽電池時計を提供できる。
【発明を実施するための最良の形態】
【００１２】
以下、本発明の実施の形態に係る太陽電池時計について説明する。
図１は、太陽電池時計の模式的な正面図、図２は、図１のA‐A断面図、図３は、太陽電池時計の模式的な上面図である。尚、図３においては、太陽電池時計の一部分の断面を示している。太陽電池時計は、フレーム１０、パネル２０、文字板３０、指針４０、太陽電池５０、ガラス６０、ムーブメント７０を含む。図４は、太陽電池時計の正面の詳細図である。図５は、パネル２０を取り外した状態の太陽電池時計の詳細図である。本実施例に係る太陽電池時計は、壁掛け時計である。
【００１３】
パネル２０は、円形状のフレーム１０内に配置されている。図１においては、ハッチングが施された部分がパネル２０に相当する。フレーム１０の前面にはガラス６０が固定されている。パネル２０の前面側には文字板３０および指針４０が配置されている。文字板３０は環状に形成され、前面側には時刻を表示するための文字が印刷されている。指針４０は、分針と時針とを含む。パネル２０の背面側には背面板１２が配置されている。文字板３０、指針４０は時刻表示部として機能する。背面板１２は、フレーム１０に固定されている。フレーム１０、背面板１２は、太陽電池時計のケースとして機能する。パネル２０は、背面板１２に固定されている。
【００１４】
図２に示すように、背面板１２の背面側にはムーブメント７０が固定されている。また、パネル２０の背面側には、４つの太陽電池５０が配置されている。詳細には、パネル２０と背面板１２との間に４つの太陽電池５０が配置されている。また、図１に示すように、太陽電池５０は、文字板３０に囲まれるように配置されている。太陽電池５０は、それぞれ矩形状である。太陽電池５０は、ムーブメント７０の電力源として機能する。太陽電池５０の受光面は、太陽電池時計の前面側（図２における左側）を向いている。
【００１５】
ムーブメント７０は、指針４０の駆動源として機能する。ムーブメント７０内にはステッピングモータが内蔵されている。ムーブメント７０は公知のものであるため詳細な説明は省略する。
【００１６】
パネル２０は、図４、５に示すように、銀糸を堆積したシート状に形成されている。また、銀糸はランダムな方向、およびランダムな隙間面積を持つように堆積されている。
【００１７】
次に、銀糸の製造方法の一例について簡単に説明する。まず、薄いポリエステルフィルムに、銀を蒸着し、ポリエステルフィルムを被せる。そのフィルムを細いテープ状に裁断する。フィルムの裁断は、フィルムをロール状に巻いて、端部から細く裁断する。尚、テープの太さは適宜変更してもよい。次に、レーヨン製の糸に、裁断したテープを螺旋状に巻きつける。糸の太さは適宜変更してよい。このようにして銀糸が製造される。尚、その他公知の方法により銀糸を製造してもよい。
【００１８】
次に、銀糸をシート状に堆積させる方法の一例について説明する。作業台等の上に、銀糸をシート状に堆積させるように垂らす。この際に、銀糸と銀糸との間に隙間ができる程度に、銀糸を堆積させる。また、銀糸の方向および隙間面積がランダムとなるように堆積させる。最後にシート状に堆積された銀糸の全体を接着する。尚、その他公知の方法により銀糸をシート状に堆積させてもよい。
【００１９】
このように製造されたパネル２０は、図４、図５に示すように、銀糸と銀糸との間に隙間ができる。この隙間を介して、光がパネル２０の前面側から太陽電池５０へと照射される。これにより電力を確保できる。また、銀糸がランダムな方向に堆積されているので、隙間の位置もランダムとなる。このため、パネル２０の前面側からは太陽電池５０は視認しにくいものとなる。従って、太陽電池５０が見えることによって外観が損なわれることが防止される。また、銀糸を用いてパネル２０を製造することにより、光がパネル２０の前面で乱反射する。この乱反射によって、パネル２０の背面側にある太陽電池５０が見えにくくなる。従って、太陽電池時計の装飾性が向上している。
【００２０】
また、銀糸はランダムな方向に堆積している。このため、網状などの規則性を有して銀糸が堆積された場合と比較し、ありきたりではないパネル２０となる。従って、パネル２０は装飾性に優れている。また、銀糸を用いるため、太陽電池時計は高級感を有している。
【００２１】
また、パネル２０は光が透過するため、太陽電池５０への光を確保するための部材、例えば導光部材等を新たに設ける必要はない。このため、部品点数が抑制されている。従って、製造工程が簡略化される。
【００２２】
次に、パネルの透過率について説明する。パネルの透過率について、以下の比較実験を行った。銀糸により製造されたパネルを取り外した状態、銀糸により製造されたパネルを取り付けた状態、黒糸により製造されたパネルを取り付けた状態、の各状態での太陽電池５０の電流値を計測した。また、電流値に基づいて、光の透過率及び平均透過率を算出した。
【００２３】
図６は、上記の比較実験の結果を示した表である。図６に示すように、パネルを取り外した状態では、電流値は４８．７μAであった。銀糸製のパネルを取り付けた状態では、電流値１７．５〜２０μA、透過率は３６〜４１％、平均透過率は３９％であった。黒糸製のパネルでは、電流値が９〜１１μA、透過率は１８〜２３％、平均透過率は２１％であった。
【００２４】
以上のように、平均透過率は、黒糸よりも銀糸の方が２倍近く大きいことがわかった。この理由は、黒糸は、銀糸よりも光の反射率が低いことに起因していると考えられる。即ち、黒糸製のパネルに対して、銀糸製のパネルにおいては、光が乱反射するなどして太陽電池５０に到達することで、黒糸製のパネルよりも光の透過率を大きくしているものと考えられる。
【００２５】
この結果から、同じ電力を得る場合には、黒糸製のパネルを用いると、銀糸製のパネルを用いる場合と比較し、太陽電池の受光面積が２倍程度必要となる。換言すれば、銀糸製のパネルを用いることにより、受光面積の小さい太陽電池を採用でき、太陽電池時計の小型化にも貢献する。
【００２６】
または、同じ受光面積を持つ太陽電池に対して黒糸製のパネルを用いる場合に比べて、銀糸製のパネルを用いる場合に必要な隙間は半分で良いということになる。すなわち隙間の大きさ、もしくは隙間の量、あるいはその両方の割合が、黒糸製のパネルの半分で良いということになる。そのため背後の太陽電池を視認しづらくなり、装飾性を向上させる。
【００２７】
このように本発明において用いられるパネルは、金属色を呈するものの方が、より好ましい結果を得ることができる。
【００２８】
以上本発明の好ましい一実施形態について詳述したが、本発明は係る特定の実施形態に限定されるものではなく、特許請求の範囲に記載された本発明の要旨の範囲内において、種々の変形・変更が可能である。
【００２９】
上記実施例においては、銀糸製のパネルを用いたが、金糸製のパネルであってもよい。金糸を用いた場合であっても、光の反射率の向上、装飾性の向上、高級感の向上が図られる。また、上記実施例において、銀糸のみを用いたが、銀糸と、それ以外の糸を用いて、パネルを製造してもよい。なお、その素材は銀色、金色に特定したものではなく、金属色を呈するものであって太陽電池に到達する光量が十分に確保できるものであれば、どういう色であってもよい。上記実施例において、アナログ時計を例に説明したがデジタル時計に採用してもよい。上記実施例において、壁掛け時計を例に説明したが、置き時計、腕時計であってもよい。上記実施例において、文字板３０を採用したが、文字板３０はなくてもよい。
【図面の簡単な説明】
【００３０】
【図１】太陽電池時計の模式的な正面図である。
【図２】図１のA‐A断面図である。
【図３】太陽電池時計の模式的な上面図である。
【図４】太陽電池時計の正面の詳細図である。
【図５】パネルを取り外した状態の太陽電池時計の詳細図である。
【図６】比較実験の結果を示した表である。
【符号の説明】
【００３１】
１０  フレーム
１２  背面板
２０  パネル
３０  文字板
４０  指針
５０  太陽電池
６０  ガラス
７０  ムーブメント
【図１】
2010145300.tif 000003
【図２】
2010145300.tif 000004
【図３】
2010145300.tif 000005
【図４】
2010145300.tif 000006
【図５】
2010145300.tif 000007
【図６】
2010145300.tif 000008